(57)【要約】【課題】応札者が希望するせり取引に正確に応札できる。【解決手段】入力受付部５が応札者の応札の操作入力を受け付けると、応札制御部６は、指定せり予定表の、せり情報受付部４が受け付けたグループ識別情報に対応するグループ内に、せり情報受付部４が受け付けた出品物識別情報の有無を判別して、出品物識別情報が無い場合に、警告報知部８は、指定した出品物が所属するグループと異なったグループが表示されている旨の警告を応札者に報知する。【選択図】図１
2010128998.tif 000002
【特許請求の範囲】
【請求項１】
出品者と、前記出品者の出品物に対して応札する複数の応札者とのせり取引を行うせり制御装置に接続された、前記応札者の応札を受け付けるせり応札端末において、
前記出品物にそれぞれ対応付けられた出品物識別情報が複数のグループごとに格納されたせり予定表から、前記応札者によって指定された前記出品物識別情報が前記グループごとに格納された指定せり予定表を保持する指定せり予定情報保持部と、
前記応札者による応札の操作入力を受け付ける入力受付部と、
前記せり予定表の前記グループごとに前記出品物のせり取引を行う前記せり制御装置の表示要求に基づいて、せり取引が行われている、任意の前記グループの前記出品物識別情報を表示する表示処理部と、
前記表示処理部が表示している前記出品物識別情報と、前記出品物識別情報が所属する任意の前記グループに対応付けられたグループ識別情報とを前記せり制御装置から受け付けるせり情報受付部と、
前記入力受付部が前記操作入力を受け付けると、前記指定せり予定表の、前記せり情報受付部が受け付けた前記グループ識別情報に対応する前記グループ内に、前記せり情報受付部が受け付けた前記出品物識別情報の有無を判別する応札制御部と、
前記応札制御部による判別の結果、前記出品物識別情報が無い場合に、指定した前記出品物が所属するグループと異なったグループが表示されている旨の警告を前記応札者に報知する警告報知部と、
を有することを特徴とするせり応札端末。
【請求項２】
前記入力受付部は、表示されている前記グループから、指定した前記出品物のせり取引が行われる別のグループへの表示切替の前記応札者による操作入力を受け付けて、
前記応札制御部は、前記表示切替の操作入力に応じて、前記別のグループのせり取引の表示要求を出力し、
前記表示処理部は、前記別のグループのせり取引を表示することを特徴とする請求項１記載のせり応札端末。
【請求項３】
前記せり情報受付部は、指定した前記出品物に対し、他の応札者からの応札価格を前記せり制御装置から受け付けて、
前記応札制御部は、前記応札者の応札価格と、前記せり情報受付部が受け付けた前記他の応札者による前記応札価格とのグラフを作成し、
前記表示処理部は、前記グラフを表示することを特徴とする請求項２記載のせり応札端末。
【請求項４】
前記せり情報受付部は、前記グループごとにせり取引が完了した前記出品物の前記出品物識別情報を前記せり制御装置から受け付けて、
前記応札制御部は、指定した前記出品物のせり取引の完了後、前記せり情報受付部が受け付けた、完了した前記出品物の前記出品物識別情報と前記指定せり予定表とから、次の指定した前記出品物の前記出品物識別情報を特定し、特定した前記出品物識別情報が所属するグループの表示要求を出力し、
前記表示処理部は、指定した前記出品物識別情報が所属する前記グループのせり取引を表示することを特徴とする請求項３記載のせり応札端末。
【請求項５】
出品者と、前記出品者の出品物に対して応札する複数の応札者とのせり取引を行うせり制御装置に接続された、前記応札者の応札を受け付けるせり応札端末において、
前記出品物にそれぞれ対応付けられた出品物識別情報が複数のグループごとに格納されたせり予定表から、前記応札者によって指定された前記出品物識別情報が前記グループごとに格納された指定せり予定表を保持する指定せり予定情報保持部と、
前記応札者による応札の操作入力を受け付ける入力受付部と、
前記せり予定表の前記グループごとに前記出品物のせり取引を行う前記せり制御装置の表示要求に基づいて、せり取引が行われている、任意の前記グループの前記出品物識別情報を表示する表示処理部と、
前記表示処理部が表示している前記出品物識別情報と、前記出品物識別情報が所属する任意の前記グループに対応付けられたグループ識別情報と、前記グループごとにせり取引が完了した前記出品物の前記出品物識別情報とを前記せり制御装置から受け付けるせり情報受付部と、
前記入力受付部が前記操作入力を受け付けると、前記指定せり予定表の、前記せり情報受付部が受け付けた前記グループ識別情報に対応する前記グループ内に、前記せり情報受付部が受け付けた前記出品物識別情報の有無を判別し、前記出品物識別情報がない場合に、前記せり情報受付部が受け付けた、完了した前記出品物の前記出品物識別情報と前記指定せり予定表とから、指定した前記出品物の前記出品物識別情報を特定し、特定した前記出品物識別情報が所属するグループの表示要求を前記表示処理部に出力する応札制御部と、
を有することを特徴とするせり応札端末。
【請求項６】
出品者と、前記出品者の出品物に対して応札する複数の応札者とのせり取引を行うせりシステムにおいて、
前記出品者から視認される画像を表示する機能と前記出品者の操作入力を検知する機能とを備える出品者側端末と、
前記応札者に応札された応札価格を示す情報を受信する入力受付部と、前記応札者が前記応札価格を応札する際の基準となる受付価格であって、前記入力受付部が受け付けた現在の最高応札価格よりも常に高額に設定される前記受付価格を、前記出品者による操作入力に応じて前記出品者側端末から受信する価格受付部と、前記出品物にそれぞれ対応付けられた出品物識別情報が複数のグループごとに格納されたせり予定表に基づいて、前記グループごとの前記出品物に、前記受付価格を随時増加させて設定し、当該受付価格の表示要求を出力するとともに、前記入力受付部が受け付けた前記受付価格よりも高額な応札価格を受け付けると、当該応札価格を落札価格とするせり取引を行い、任意のグループで行われるせり取引に対応する前記出品物識別情報と、任意の前記グループに対応するグループ識別情報との表示要求を出力するせり制御部と、を備えるせり制御装置と、
前記せり予定表から、前記応札者によって指定された前記出品物識別情報が前記グループごとに格納された指定せり予定表を保持する指定せり予定情報保持部と、
前記応札者による応札の操作入力を受け付ける応札受付部と、
前記せり予定表の前記グループごとに前記せり制御装置の表示要求に基づいて、せり取引が行われている、任意の前記グループの前記出品物識別情報を表示する表示処理部と、  前記表示処理部が表示している前記出品物識別情報と、前記出品物識別情報が所属する任意の前記グループに対応付けられた前記グループ識別情報とを前記せり制御装置から受け付けるせり情報受付部と、前記応札受付部が前記操作入力を受け付けると、前記指定せり予定表の、前記せり情報受付部が受け付けた前記グループ識別情報に対応する前記グループ内に、前記せり情報受付部が受け付けた前記出品物識別情報の有無を判別する応札制御部と、前記応札制御部による判別の結果、前記出品物識別情報が無い場合に、指定した前記出品物が所属するグループと異なったグループが表示されている旨の警告を前記応札者に報知する警告報知部と、を有することを特徴とするせり応札端末と、
を具備することを特徴とするせりシステム。
【発明の詳細な説明】
【技術分野】
【０００１】
本発明はせり応札端末及びせりシステムに関し、特に、出品者と、複数の応札者とのせり取引にて応札者が応札するせり応札端末、及びこのようなせり応札端末を具備するせりシステムに関する。
【背景技術】
【０００２】
一般に、せり取引（オークション：auction）とは、物品等に支払われる対価を購入希望者（応札者）間で互いに競わせて、売り手にとって最も有利な価格で販売する方法である。
【０００３】
このせり取引は、家畜、生花または中古自動車（中古車）等の市場で行われている。現在では、このせり取引は自動化されて、「せりシステム」として各市場に導入されている（例えば、特許文献１，２，３参照）。
【０００４】
取引対象物として中古車を例に挙げて、せり制御装置によって行われるせりシステム、及びせり取引の一例について以下に説明する。
まず、せり取引開始時までに、出品者は中古車を販売するための落札希望価格とせり取引開始時の受付価格とをせり制御装置に設定しておく。
【０００５】
そして、せり人によってせり取引が開始される。すると、せり制御装置は当該中古車の受付価格を会場内の大型表示装置及び応札者の各照会端末等に表示する。応札者は受付価格を参照して応札を行う。ここで、受付価格とは、応札者が応札する際の基準の価格であり、現在の最高応札価格よりも高額に設定され、応札状況や所定の時間に従って上昇する。このため、受付価格を応札者に視認させることで、応札者の活発な応札を促す効果が生じる。
【０００６】
出品者の落札希望価格を超えて、最高応札価格で応札した応札者が当該中古車を落札できる。一方、最高応札価格が販売店の落札希望価格を超えなければ、当該取引は流れとなる。
【０００７】
このようなせりシステムではせり取引の開始後、数分から数十分間で落札又は流れが決定する。このため、出品物を複数のレーンに分けて、レーンごとにせり取引を同時に行い、短時間に多くの出品物を取引できる。
【特許文献１】特開昭５８−１６１０６８号公報
【特許文献２】特開２００１−３５６７４９号公報
【特許文献３】特開２００６−３９９５５号公報
【発明の開示】
【発明が解決しようとする課題】
【０００８】
しかし、上記せりシステムにおいて、同時に複数のせり取引を行う場合には以下のような問題点があった。
開始してからわずかの間に落札が決定されるせり取引がレーンごとに同時に行われると、応札者は応札希望のせり取引を逃してしまう恐れがある。例えば、応札者が希望する中古車のせり取引がＡレーンで行われる場合に、当該せり取引の開始まで応札者は他のレーンを閲覧していたとする。この場合において、応札者は当該せり取引への参加を逃してしまう恐れがある。
【０００９】
また、レーンが複数あるために応札者は誤って希望しないせり取引に応札してしまう可能性もある。例えば、応札者が希望する中古車と同色のものが他のレーンでもせり取引が行われる場合に、誤って応札してしまう恐れがある。
【００１０】
本発明はこのような点に鑑みてなされたものであり、応札者が希望するせり取引に正確に応札できるせりシステム、及びこのようなせりシステムにおいて応札者が用いるせり応札端末を提供することを目的とする。
【課題を解決するための手段】
【００１１】
上記目的を達成するために、出品者と、前記出品者の出品物に対して応札する複数の応札者とのせり取引を行うせり制御装置に接続された、前記応札者の応札を受け付けるせり応札端末が提供される。
【００１２】
このせり応札端末は、前記出品物にそれぞれ対応付けられた出品物識別情報が複数のグループごとに格納されたせり予定表から、前記応札者によって指定された前記出品物識別情報が前記グループごとに格納された指定せり予定表を保持する指定せり予定情報保持部と、前記応札者による応札の操作入力を受け付ける入力受付部と、前記せり予定表の前記グループごとに前記出品物のせり取引を行う前記せり制御装置の表示要求に基づいて、せり取引が行われている、任意の前記グループの前記出品物識別情報を表示する表示処理部と、前記表示処理部が表示している前記出品物識別情報と、前記出品物識別情報が所属する任意の前記グループに対応付けられたグループ識別情報とを前記せり制御装置から受け付けるせり情報受付部と、前記入力受付部が前記操作入力を受け付けると、前記指定せり予定表の、前記せり情報受付部が受け付けた前記グループ識別情報に対応する前記グループ内に、前記せり情報受付部が受け付けた前記出品物識別情報の有無を判別する応札制御部と、前記応札制御部による判別の結果、前記出品物識別情報が無い場合に、指定した前記出品物が所属するグループと異なったグループが表示されている旨の警告を前記応札者に報知する警告報知部と、を有する。
【００１３】
このようなせり応札端末では、指定せり予定情報保持部が、出品物にそれぞれ対応付けられた出品物識別情報が複数のグループごとに格納されたせり予定表から、応札者によって指定された出品物識別情報がグループごとに格納された指定せり予定表を保持し、入力受付部が、応札者による応札の操作入力を受け付け、表示処理部が、せり予定表のグループごとに出品物のせり取引を行うせり制御装置の表示要求に基づいて、せり取引が行われている、任意のグループの出品物識別情報を表示し、せり情報受付部において、表示処理部が表示している出品物識別情報と、出品物識別情報が所属する任意のグループに対応付けられたグループ識別情報とをせり制御装置から受け付け、応札制御部において、入力受付部が操作入力を受け付けると、指定せり予定表の、せり情報受付部が受け付けたグループ識別情報に対応するグループ内に、せり情報受付部が受け付けた出品物識別情報の有無を判別し、警告報知部が、判別の結果で出品物識別情報が無い場合に、指定した出品物が所属するグループと異なったグループが表示されている旨の警告を応札者に報知する。
【００１４】
また、このせり応札端末は、前記出品物にそれぞれ対応付けられた出品物識別情報が複数のグループごとに格納されたせり予定表から、前記応札者によって指定された前記出品物識別情報が前記グループごとに格納された指定せり予定表を保持する指定せり予定情報保持部と、前記応札者による応札の操作入力を受け付ける入力受付部と、前記せり予定表の前記グループごとに前記出品物のせり取引を行う前記せり制御装置の表示要求に基づいて、せり取引が行われている、任意の前記グループの前記出品物識別情報を表示する表示処理部と、前記表示処理部が表示している前記出品物識別情報と、前記出品物識別情報が所属する任意の前記グループに対応付けられたグループ識別情報と、前記グループごとにせり取引が完了した前記出品物の前記出品物識別情報とを前記せり制御装置から受け付けるせり情報受付部と、前記入力受付部が前記操作入力を受け付けると、前記指定せり予定表の、前記せり情報受付部が受け付けた前記グループ識別情報に対応する前記グループ内に、前記せり情報受付部が受け付けた前記出品物識別情報の有無を判別し、前記出品物識別情報がない場合に、前記せり情報受付部が受け付けた、完了した前記出品物の前記出品物識別情報と前記指定せり予定表とから、指定した前記出品物の前記出品物識別情報を特定し、特定した前記出品物識別情報が所属するグループの表示要求を前記表示処理部に出力する応札制御部と、を有する。
【００１５】
このようなせり応札端末では、指定せり予定情報保持部が、出品物にそれぞれ対応付けられた出品物識別情報が複数のグループごとに格納されたせり予定表から、応札者によって指定された出品物識別情報がグループごとに格納された指定せり予定表を保持し、入力受付部が、応札者による応札の操作入力を受け付け、表示処理部が、せり予定表のグループごとに出品物のせり取引を行うせり制御装置の表示要求に基づいて、せり取引が行われている、任意のグループの出品物識別情報を表示し、せり情報受付部において、表示処理部が表示している出品物識別情報と、出品物識別情報が所属する任意のグループに対応付けられたグループ識別情報と、グループごとにせり取引が完了した出品物の出品物識別情報とをせり制御装置から受け付け、応札制御部において、入力受付部が操作入力を受け付けると、指定せり予定表の、せり情報受付部が受け付けたグループ識別情報に対応するグループ内に、せり情報受付部が受け付けた出品物識別情報の有無を判別し、出品物識別情報がない場合に、せり情報受付部が受け付けた完了した出品物の出品物識別情報と指定せり予定表とから、指定した出品物の出品物識別情報を特定し、特定した出品物識別情報が所属するグループの表示要求を表示処理部に出力する。
【発明の効果】
【００１６】
上記せり応札端末及びこのようなせり応札端末が接続されたせりシステムでは、応札者が希望するせりに正確に応札できる。
【発明を実施するための最良の形態】
【００１７】
以下、本発明の実施の形態について、図面を参照しながら説明する。
図１は、本実施の形態の概要を説明するための概念図である。
せり応札端末１は、せり取引全体を制御するせり制御装置（図示を省略）と接続されており、せり制御装置で行われるせりの状況等の表示、または、応札等の入力の機能が例えばタッチパネル式の入力表示部（図示を省略）で実現される。
【００１８】
このようなせり応札端末１は、せり予定情報保持部２、指定せり予定情報保持部３、せり情報受付部４、入力受付部５、応札制御部６、表示処理部７及び警告報知部８を有する。
【００１９】
せり予定情報保持部２は、せり予定表が格納されている。せり予定表は、せり取引対象となる出品物に出品物識別情報が割り当てられ、出品物識別情報が複数のグループ（以下、このグループ各々をレーンと称する。）ごとに格納されている。例えば、取引対象となる中古車にせり番号が割り当てられて、せり番号がレーンごとにせりの実施順に配列された表である。
【００２０】
指定せり予定情報保持部３は、指定せり予定表が格納されている。指定せり予定表は、上記せり予定表から希望するせりが応札者により指定されて、指定されたせりの出品物識別情報がレーンごとにせり取引の実施順に配列された表である。
【００２１】
せり情報受付部４は、せり応札端末１の入力表示部にて表示されているせりに関して、当該せりが所属するグループのグループ識別情報、当該せりの出品物識別情報及び当該せりの受付価格が、せり制御装置からそれぞれ受け付けられる。受付価格はせり制御装置にて更新されるごとに受け付けられる。なお、受付価格とは、上記の通り、応札者が応札する際の基準の価格であり、現在の最高応札価格よりも高額に設定され、応札状況や所定の時間に従って上昇する。このため、受付価格を応札者に視認させることで、応札者の活発な応札を促す効果が生じる。
【００２２】
入力受付部５は、応札者がせり応札端末１の入力表示部に対して行った操作入力による応札の応札価格を受け付ける。なお、入力表示部は表示処理部７（後述）からの表示要求に応じて表示する。
【００２３】
応札制御部６は、せり情報受付部４から受付価格を取得する度に、受付価格の表示要求を表示処理部７に送信する。
さらに、応札制御部６は、入力受付部５から応札価格を取得すると、指定せり予定情報保持部３の指定せり予定表の、せり情報受付部４で取得したグループ識別情報のグループ内に、同様に取得した出品物識別情報の有無を判別する。出品物識別情報が無ければ、警告報知部８にグループが違う旨を通知する。
【００２４】
表示処理部７は、応札制御部６、警告報知部８及びせり制御装置からの表示要求に基づいて、入力表示部に対して、出品物に関する情報、受付価格及び現在のせり状況等を表示させる。
【００２５】
警告報知部８は、応札制御部６からグループが違う旨が通知されると、アラームを発し、又は表示処理部７にのグループが違う旨の警告の出力要求を送信する。
なお、せり制御装置は、上記せり応札端末１が複数接続されており、予め取得したせり予定表に基づいて複数のグループごとにせり取引を実行する。
【００２６】
せり制御装置によるせり取引は、まず、それぞれのせり応札端末１に受付価格を表示させる。各応札者は表示された受付価格で落札しても良いと判断したら応札する。受付価格を上昇させていくと、受付価格に対する応札者数が減少していき、最終的に残った応札者を落札者とする。
【００２７】
次に、このような構成を有するせり応札端末１の動作概要について説明する。
まず、せり予定情報保持部２にせり予定表を、指定せり予定情報保持部３に指定せり予定表をそれぞれ格納しておく。なお、応札者の操作入力に基づいて、せり制御装置からせり予定表をせり情報受付部４に取得させて、せり予定情報保持部２に格納させてもよい。さらに、同様に応札者の操作入力に基づいて、格納したせり予定表から所望のせりを指定して指定せり予定表を作成してもよい。
【００２８】
表示処理部７は、せり制御装置からの表示要求に基づいて、任意のグループで行われている応札価格を入力表示部に表示させる。また、せり情報受付部４は、入力表示部で表示されている応札価格に関して、当該せりが所属する任意のグループのグループ識別情報、当該せりの出品物識別情報及び当該せりの受付価格を受け付ける。受付価格は更新されるごとに受け付けられる。
【００２９】
以後、応札者は入力表示部に表示される応札価格に対して自由に応札することができる。
応札者が入力表示部に操作入力を行って応札する。入力受付部５は応札者からの応札による応札要求を受け付ける。応札制御部６は入力受付部５が受け付けた応札要求と価格と応札者を識別するＩＤと、をせり制御装置に送信する。
【００３０】
さらに、応札制御部６は、指定せり予定表の、せり情報受付部４が受け付けたグループ識別情報のグループ内に、応札要求を受け付けた出品物識別情報の有無を判別する。
せり番号が無い場合には、応札制御部６は、グループが違う旨を警告報知部８に通知する。警告報知部８は通知に応じて、アラームを発し、又は、グループが違う旨の警告の出力要求を表示処理部７に送信する。
【００３１】
応札者はこの警告により喚起されて、入力表示部に対する操作入力を行って、グループを切り替えて、所望のせり取引が所属するグループを表示させる。
その後、応札者は希望するせり取引に応札することができる。
【００３２】
このように、上記せり応札端末は、応札者の希望するせり取引が行われないグループが表示されている場合に、グループが違う旨の警告を出力する。このため、応札者に応札したグループの誤りを喚起でき、応札者は希望するせり取引に正確に応札できるようになる。
【００３３】
次に、上記せり応札端末を用いたせりシステムについて、より具体的に説明する。本実施の形態では、出品物を中古車として、上記概要をより具体的に説明する。
まず、第１の実施の形態について説明する。
【００３４】
図２は、実施の形態に係るせりシステムの構成を説明するためのブロック図である。
せりシステム５０は、せり制御装置１００、せり制御装置１００にそれぞれ接続された出品者側端末５１、せり応札端末５２、大型表示装置５３、サーバ５４及び調整人調整卓５５を有する。
【００３５】
せり制御装置１００は、ＣＰＵ（Central Processing Unit）１００ａによって装置全体が制御されている。ＣＰＵ１００ａには、バス１００ｇを介してＲＡＭ（Random Access Memory）１００ｂ、ハードディスクドライブ（ＨＤＤ：Hard Disk Drive）１００ｃ、グラフィック処理装置１００ｄ、入力インタフェース１００ｅ及び通信インタフェース１００ｆが接続されている。
【００３６】
ＲＡＭ１００ｂには、ＣＰＵ１００ａに実行させるＯＳ（Operating System）プログラムやアプリケーションプログラムの少なくとも一部が一時的に格納される。また、ＲＡＭ１００ｂには、ＣＰＵ１００ａによる処理に必要な各種データが格納される。ＨＤＤ１００ｃには、ＯＳプログラムやアプリケーションプログラムが格納される。
【００３７】
グラフィック処理装置１００ｄには、調整人調整卓５５のモニタ５５１等が接続されている。なお、調整人調整卓５５は、せり人によってせり取引全体を操作するための操作部である。
【００３８】
入力インタフェース１００ｅには、調整人調整卓５５のキーボード５５２等が接続されている。
通信インタフェース１００ｆには、せり応札端末５２、大型表示装置５３、サーバ５４及び出品者側端末５１が接続されている。せり制御装置１００は、これらの機器との間で、通信インタフェース１００ｆを介して情報を送受信する。
【００３９】
このようなせり制御装置１００は、サーバ５４から出品物（中古車）の情報の提供を受け、この出品物についてのせり取引全体を制御する。
せりシステム５０の他の構成について引き続き説明を行う。
【００４０】
出品者側端末５１は、応札者に露わにされることなく、出品者側に設置されている。出品者側端末５１は、基本的にせり制御装置１００と同様のハードウェア構成を有しており、せり制御装置１００からの要求に従って画像を表示し、せり制御装置１００に送信する情報の操作入力を受け付ける。本実施の形態では、このような表示及び操作入力のための機能が、いわゆるタッチパネルである入力表示部５１０として実現される。
【００４１】
入力表示部５１０は、受付価格及び応札者からの応札価格を表示する。また、決定された応札価格を、例えば、画面の押下による操作入力によって受け付ける。このような機能を有する入力表示部５１０は、出品者によって閲覧及び操作が行われる。
【００４２】
せり応札端末５２は、応札者ごとに設置されている。せり応札端末５２は、基本的にせり制御装置１００と同様のハードウェア構成を有しており、せり制御装置１００からの要求に従って画像を表示し、せり制御装置１００に送信する情報の操作入力を受け付ける。本実施の形態では、このような表示及び操作入力のための機能が、いわゆるタッチパネル又は押しボタンスイッチである入力表示部５２０として実現される。
【００４３】
入力表示部５２０は、せり制御装置１００から受信した、対象中古車に関する情報を表示する。また、せり制御装置１００から表示が要求された受付価格を随時表示する。さらに応札要求を、例えば、入力表示部５２０の画面に表示されたボタンの押下による操作入力によって受け付ける。入力された応札要求と価格は、せり応札端末５２からせり制御装置１００に送信される。
【００４４】
大型表示装置５３は、例えば、せり取引会場に設置された大型モニタであって、会場内の応札者等に対象中古車の情報及び受付価格を随時表示する。大型表示装置５３は、対象中古車の情報をサーバ５４から受信して、それらを表示する。さらに、せり制御装置１００から受信した受付価格等を表示する。
【００４５】
サーバ５４は、せり取引の対象となる中古車の情報を格納する。中古車の情報としては、例えば、車種、年式、総走行距離、修理履歴等が挙げられる。サーバ５４もせり制御装置１００と接続しており、せり制御装置１００の要求によって、せり応札端末５２及び大型表示装置５３に対して、中古車の情報を提供する。
【００４６】
調整人調整卓５５は、上記の通り、せり人によってせり取引全体を操作するための操作部である。例えば、せり人は、調整人調整卓５５を介して、せり取引を開始させたりすることができる。
【００４７】
次に、せりシステム５０の、主にせり制御装置１００及びせり応札端末５２の機能について説明する。
図３は、本実施の形態に係るせりシステムの機能を示すブロック図である。
【００４８】
まず、せり制御装置１００は、せり情報転送部１０１、価格受付部１０２、入力受付部１０３、せり制御部１０４、出品者側表示処理部１０５及び応札者側表示処理部１０６を有する。なお、これらの機能は、例えば、せり制御装置１００のＣＰＵ１００ａによって所定のプログラムが実行されることで実現される。また、せり制御装置１００は、せり予定表のレーンごとに同時にせり取引を実施させることができる。
【００４９】
せり情報転送部１０１はせり応札端末５２のせり情報受付部５２ｃと接続している。サーバ５４が保持するせり予定表をせり応札端末５２に転送する。なお、せり予定表は、複数のレーンにせり取引が配列された表である。せり制御装置１００では、このせり予定表に基づき、レーンごとにせり取引を順に実施する。せり情報転送部１０１は、せり応札端末５２に表示されるせり取引に関して、当該せり取引が所属するレーン番号、当該せり取引のせり番号及び当該せり取引の受付価格をせり情報受付部５２ｃに送信する。なお、受付価格は更新されるごとに転送される。また、せり情報転送部１０１は、せり取引に対する応札価格のうち、複数の上位応札価格と、これらの上位応札価格を応札した応札者を識別するＩＤとをせり情報受付部５２ｃに送信する。
【００５０】
価格受付部１０２は、出品者側端末５１の操作入力検知部５１ａと接続している。せり人は、出品者側端末５１の操作入力検知部５１ａに対して、せり取引開始時の受付価格の指定、その他必要な初期設定の操作入力を行う。その操作入力に基づく情報は、せり制御装置１００の価格受付部１０２に受け付けられる。
【００５１】
なお、出品者側端末５１は、操作入力検知部５１ａ及びグラフ表示処理部５１ｂを備えている。操作入力検知部５１ａは、出品者側端末５１の入力表示部５１０に対して売り出し価格等を指定するための操作入力に応じた位置情報を検知する。さらに、検知した情報をせり制御装置１００に送信する。グラフ表示処理部５１ｂは、出品者側表示処理部１０５（後述）からの表示要求に基づいて、せり取引開始からの経過時間に応じた応札価格の推移のグラフ等を表示する。
【００５２】
入力受付部１０３は、せり応札端末５２の応札制御部５２ｅと接続している。応札者は、応札価格をせり応札端末５２に入力して、中古車に対する応札を行う。せり応札端末５２の入力検知部５２ｄが受け付けられた応札価格は、せり制御装置１００に送信されると、入力受付部１０３に受け付けられる。また、応札者は、せり応札端末５２の入力表示部５２０に表示されているレーン切替スイッチに対して切替操作を行うと、表示レーンの切替要求がせり制御装置１００に送信されて、入力受付部１０３に受け付けられる。
【００５３】
せり制御部１０４は、せり情報転送部１０１、価格受付部１０２、入力受付部１０３、出品者側表示処理部１０５及び応札者側表示処理部１０６と接続している。そして、各構成要素の動作を制御し、各価格の入出力及びせり予定表の送信等を行う。
【００５４】
さらに、せり制御部１０４は、せり取引の開始前に、取引対象の中古車の情報をサーバ５４から受信したせり予定表をせり情報転送部１０１からせり応札端末５２に送信させる。せり取引が開始されると、各せり応札端末５２に表示されているレーンで行われているせり取引の中古車の情報を応札者側表示処理部１０６からせり応札端末５２ごとに表示させる。そして、所定時間が経過するごとに受付価格を更新し、更新した受付価格の表示要求を応札者側表示処理部１０６及び出品者側表示処理部１０５に送信する。応札者側表示処理部１０６及び出品者側表示処理部１０５はせり応札端末５２及び出品者側端末５１に受付価格の表示要求を送信する。同時に、表示要求の対象となったせり取引に関して、当該せり取引の所属するレーン番号、当該せり取引のせり番号及び当該せり取引の受付価格をせり情報転送部１０１から、せり情報受付部５２ｃに送信する。また、入力受付部１０３が受け付けたレーンの切替要求に基づいて、レーンの表示要求を応札者側表示処理部１０６に送信する。また、価格受付部１０２で受け付けた受付価格を応札者側表示処理部１０６に送信し、応札者側表示処理部１０６はせり応札端末５２に受付価格の表示要求を送信する。
【００５５】
出品者側表示処理部１０５は、受付価格及び応札価格の表示要求をせり制御部１０４から受け付けると、これらの価格情報を基に、例えばグラフを生成し、生成したグラフ等の情報を出品者側端末５１に送信して、表示を要求する。出品者側端末５１の入力表示部５１０には、出品者側表示処理部１０５による表示要求に基づいて、応札価格及び受付価格がグラフ等の表示情報として随時表示される。
【００５６】
応札者側表示処理部１０６は、サーバ５４から受信した中古車の情報を表示処理部５２ｆに送信する。また、受付価格の表示要求を随時表示処理部５２ｆに送信する。さらに、応札者の操作入力に基づいて、せり予定表の表示要求を表示処理部５２ｆに出力する。なお、応札者側表示処理部１０６は、これらの価格情報を、例えば、せり応札端末５２の表示処理部５２ｆが表示のために認識可能な形式のデータに変換して送信する。応札者側表示処理部１０６と接続したせり応札端末５２の入力表示部５２０は、表示要求に従って、受付価格を随時表示する。また、応札者側表示処理部１０６は、大型表示装置５３（図３では図示を省略）に対しても同様に、受付価格を随時表示させる。なお、応札者側表示処理部１０６は、せり応札端末５２に表示させる画面自体を生成して、せり応札端末５２に出力する構成としてもよい。
【００５７】
次に、せり応札端末５２について説明する。
せり応札端末５２は、応札者にそれぞれ設置されている。せり応札端末５２は、基本的にせり制御装置１００と同様のハードウェア構成を有しており、せり制御装置１００からの要求に従って画像を表示し、せり制御装置１００に送信する情報の操作入力を受け付ける。本実施の形態では、このような表示及び操作入力のための機能が、いわゆるタッチパネル、又は押しボタンスイッチである入力表示部５２０として実現される。
【００５８】
また、せり応札端末５２は、せり予定情報保持部５２ａ、指定せり予定情報保持部５２ｂ、せり情報受付部５２ｃ、入力検知部５２ｄ、応札制御部５２ｅ及び表示処理部５２ｆを有する。
【００５９】
せり予定情報保持部５２ａは、せり予定表が保持されている。せり予定表は、せり取引対象の中古車にせり番号が割り当てられ、せり番号が複数のレーンごとの実施順に配列された表である。
【００６０】
指定せり予定情報保持部５２ｂは、指定せり予定表を保持する。指定せり予定表は、上記のせり予定表から応札者が応札を希望するせり取引が指定されて、指定されたせり番号がレーンごとに実施順に配列された表である。
【００６１】
せり情報受付部５２ｃは、せり情報転送部１０１からせり予定表を受け付け、受け付けたせり予定表をせり予定情報保持部５２ａに格納する。また、せり情報受付部５２ｃは、後述する表示処理部５２ｆが表示されるせり取引に関して、当該せり取引が所属するレーン番号、当該せり取引のせり番号及び当該せり取引の受付価格を受け付ける。なお、受付価格は更新されるごとに受け付けられる。
【００６２】
入力検知部５２ｄは、応札者が入力表示部５２０に対して行った操作入力を受け付ける。応札者は、表示されているせり取引に対して、入力表示部５２０に対する操作入力により応札する。この場合には、入力検知部５２ｄは当該応札の応札価格を受け付ける。また、応札者は、表示されているせり予定表に対して、入力表示部５２０に対する操作入力によりせり取引を指定して、指定せり予定表が作成される。この場合には、入力検知部５２ｄは指定されたせり取引を受け付ける。
【００６３】
応札制御部５２ｅは、せり予定情報保持部５２ａ、指定せり予定情報保持部５２ｂ、せり情報受付部５２ｃ、入力検知部５２ｄ及び表示処理部５２ｆと接続されている。そして、各構成要素の動作を制御する。
【００６４】
さらに、応札制御部５２ｅは、せり情報受付部５２ｃが受け付けた受付価格と、せり予定情報保持部５２ａに格納されたせり予定表の表示要求とを表示処理部５２ｆに送信する。また、応札制御部５２ｅは、入力検知部５２ｄが受け付けたせり予定表の中から指定されたせり取引を指定せり予定情報保持部５２ｂに格納する。応札制御部５２ｅは、入力検知部５２ｄが受け付けた応札価格をせり制御装置１００に送信する。
【００６５】
さらに、応札制御部５２ｅは、指定せり予定情報保持部５２ｂの指定せり予定表の、せり情報受付部５２ｃで受け付けたレーン番号に、同様に受け付けたせり番号の有無を判別する。せり番号が無い場合には、表示処理部５２ｆにレーンが違う旨の警告の出力要求を送信する。
【００６６】
表示処理部５２ｆは、応札制御部５２ｅ及び応札者側表示処理部１０６からの表示要求に基づいて、せり予定表、中古車に関する情報及び受付価格等を入力表示部５２０に表示させる。さらに、表示処理部５２ｆは、応札制御部５２ｅからの警告出力要求に基づいて、警告を入力表示部５２０に出力させる。
【００６７】
次に、このような構成のせり応札端末５２で行われる処理について、フローチャートを利用して説明する。
図４は、第１の実施の形態に係るせり応札端末の処理手順を示すフローチャートである。
【００６８】
なお、せり取引は、例えばせり人が調整人調整卓５５を操作することでせり取引が開始されるが、せり取引の開始までは以下の準備が行われる。
まず、サーバ５４にはせり取引の対象となる中古車の写真画像及び、車両情報、出品伝票データ等の出品情報があらかじめ格納されている。
【００６９】
出品者は、対象となる中古車の販売予定価格である落札希望価格と、せり取引開始時の受付価格とを、出品者側端末５１を通じてせり制御装置１００にあらかじめ設定しておく。そして、せり制御部１０４は、サーバ５４から、これから始まるせり取引の対象となる中古車の写真画像及び出品情報を、大型表示装置５３にレーンごとに出力させ、それらの写真画像及び出品情報を表示させておく。
【００７０】
さらに、せり制御部１０４は、落札希望価格及びせり取引開始時の受付価格を出品者側表示処理部１０５にも出力して、出品者側端末５１への表示を要求する。出品者側表示処理部１０５は、落札希望価格及び受付価格を示したグラフを作成し、このグラフを出品者側端末５１に出力して表示させておく。
【００７１】
以上の準備が行われ、その後、せり制御装置１００によりレーンごとにせり取引が行われる。
せり取引が行われているときに、新たに応札者がせり取引に参加すると、せり応札端末５２にて以下の処理が行われる。
【００７２】
［ステップＳ１１］  応札者は、せり応札端末５２の電源投入後、入力表示部５２０に対する操作入力により、応札者を識別する「購買店ＩＤ」を入力する。入力された購買店ＩＤは入力検知部５２ｄに受け付けられる。
【００７３】
せり情報受付部５２ｃは、せり制御装置１００から受け付けたせり予定表をせり予定情報保持部５２ａに格納する。応札制御部５２ｅは、せり予定情報保持部５２ａに格納されたせり予定表の表示要求を表示処理部５２ｆに出力する。表示処理部５２ｆは、入力表示部５２０にせり予定表を表示する。
【００７４】
応札者は表示されたせり予定表から応札希望のせり取引を、入力表示部５２０を介して指定する。応札制御部５２ｅは、指定されたせり取引をレーンごとに実施順に配列して指定せり予定表を作成する。作成された指定せり予定表は指定せり予定情報保持部５２ｂに格納する。
【００７５】
また、４つのレーン（レーンＡ，Ｂ，Ｃ，Ｄ）でそれぞれせり取引が行われている場合に、レーン番号のパラメータＮをＡレーンに設定する。なお、初期設定におけるパラメータＮは他のレーンであっても構わない。
【００７６】
以上により、初期設定が完了する。
［ステップＳ１２］  応札制御部５２ｅは、入力検知部５２ｄが受け付けた応札者のレーン切替の操作入力に基づき、又は、レーンが自動的に切り替えられると、レーン番号のパラメータＮを取得する。取得したパラメータＮを入力表示部５２０に表示させるパラメータＣＵＲ＿ＬＡＮＥに設定する。
【００７７】
［ステップＳ１３］  応札制御部５２ｅは、取得したレーン番号で行われているせり取引の取引対象の中古車情報の表示要求を表示処理部５２ｆに出力する。具体的には、ＣＵＲ＿ＬＡＮＥに設定されたレーン番号に対するレーンで行われるせり取引の取引対象の中古車情報の表示要求を表示処理部５２ｆに出力する。表示処理部５２ｆは、表示要求に基づいて、中古車情報を入力表示部５２０に表示させる。なお、中古車情報としては、せり番号、並びに写真画像及び、車両情報、出品伝票データ等が挙げられる。
【００７８】
［ステップＳ１４］  応札制御部５２ｅは、入力検知部５２ｄが受け付けた応札者の操作入力による応札の応札価格を取得する。応札者が応札したせり取引が、表示されているレーンとは違うレーンで行われている場合に、応札制御部５２ｅは、レーンが違う旨の警告の出力要求を表示処理部５２ｆに出力する。表示処理部５２ｆは出力要求に応じて入力表示部５２０に警告を出力させる。
【００７９】
また、応札制御部５２ｅは、入力表示部５２０で表示された警告に喚起された応札者によるレーン切替の操作入力に応じて、所望のせり取引が行われるレーンの表示要求を表示処理部５２ｆに送信する。表示処理部５２ｆは表示要求に応じて、所望のせり取引が行われるレーンを入力表示部５２０に表示させる。なお、入力検知部５２ｄが応札者のレーン切替の操作入力を受け付けると、ＳＷ＿ＯＮのフラグ値を１とする。
【００８０】
応札者は表示されたレーンで行われるせり取引に応札を行って、落札又は流れとなりせり取引が終了する。
［ステップＳ１５］  応札制御部５２ｅは、指定せり予定表を参照して、ステップＳ１４で終了した指定せり取引の次に行われる指定せり番号を特定する。特定した指定せり取引が、表示されているレーンで行われない場合には、当該指定せり取引が行われるレーンに自動的に切り替える。なお、入力検知部５２ｄが応札者のレーン切替の操作入力を受け付けると、ＳＷ＿ＯＮのフラグ値を１とする。
【００８１】
［ステップＳ１６］  応札制御部５２ｅは、指定せり予定表を参照して、指定したせり取引が残っているか否かを判別する。次の処理は、指定したせり取引が残っていればステップＳ１７へ進められ、残っていなければ、処理が終了する。
【００８２】
［ステップＳ１７］  応札制御部５２ｅは、ＳＷ＿ＯＮのフラグ値１の有無を判別する。次の処理は、フラグ値の１が有ればステップＳ１２に進められ、フラグ値の１が無ければステップＳ１３に進められる。
【００８３】
続いて、応札制御部５２ｅで行われるステップＳ１４の応札処理について説明する。
図５は、応札の処理手順を示すフローチャートである。
［ステップＳ１４１］  応札制御部５２ｅは、入力検知部５２ｄが受け付けた応札者の応札による応札要求を取得する場合には、次の処理は、ステップＳ１４２に進められ、取得しない場合には、処理が終了して、ステップＳ１５に進められる。
【００８４】
［ステップＳ１４２］  応札制御部５２ｅは、ステップＳ１４１で取得した応札要求をせり制御装置１００の入力受付部１０３に送信する。
［ステップＳ１４３］  応札制御部５２ｅは、せり制御装置１００から応札要求が正しく受信された事を示すＡＣＫの受信を待機する。次の処理は、応札制御部５２ｅはＡＣＫを受信した場合にはステップＳ１４４に進められ、受信しない場合にはステップＳ１４ａに進められる。
【００８５】
［ステップＳ１４４］  応札制御部５２ｅは、表示されているレーンに応札者が応札希望するせり取引が無い場合に、レーンが違う旨の警告の出力要求を表示処理部５２ｆに送信する。なお、ステップＳ１４４の処理の詳細については後述する。
【００８６】
［ステップＳ１４５］  応札制御部５２ｅは、表示されているレーンの現在せり取引中の中古車の車種が、応札者が希望する車種で無い場合に、車種が違う旨の警告の出力要求を表示処理部５２ｆに送信する。なお、ステップＳ１４５の処理の詳細については後述する。
【００８７】
［ステップＳ１４６］  応札制御部５２ｅは、応札者によって応札すると、その応札時期が、表示されているレーンで行われるせり取引の開始前又は終了後である旨の警告の出力要求を表示処理部５２ｆに送信する。なお、ステップＳ１４６の処理の詳細については後述する。
【００８８】
［ステップＳ１４７］  応札制御部５２ｅは、入力検知部５２ｄが応札者による応札要求を受け付けると、それまでに落札した台数が予め設定しておいた最大落札台数を超えている場合に、台数が超過する旨の警告の表示要求を表示処理部５２ｆに送信する。なお、ステップＳ１４７の処理の詳細については後述する。
【００８９】
［ステップＳ１４８］  応札制御部５２ｅは、入力検知部５２ｄが受け付けた応札者によるレーンの切替の操作入力に応じて、レーンを切り替える。
［ステップＳ１４９］  応札制御部５２ｅは、応札者からの応札を受け付けて、せり取引を行わせる。なお、ステップＳ１４８の処理の詳細については後述する。
【００９０】
［ステップＳ１４ａ］  応札制御部５２ｅは、せり制御装置１００からＡＣＫの受信が無い場合には、エラーログを作成する。
［ステップＳ１４ｂ］  応札制御部５２ｅは、予め設定されたせり制御装置１００への応札要求の送信回数を超過する場合には、警告出力処理を終了し、せり制御装置との通信に異常があった警報を発する。超過していない場合には、ステップＳ１４２へ進められる。
【００９１】
上記応札処理で行われるステップＳ１４４〜Ｓ１４９の各処理について説明する。
まず、ステップＳ１４４のレーン違い警告出力の処理について説明する。
【００９２】
図６は、レーン違い警告出力の処理手順を示すフローチャートである。
［ステップＳ１４４ａ］  応札制御部５２ｅは、指定せり予定情報保持部５２ｂに格納されている指定せり予定表を参照する。
【００９３】
［ステップＳ１４４ｂ］  応札制御部５２ｅは、指定せり予定表の、ステップＳ１３で取得したレーン番号のレーン内に、同様にステップＳ１３で取得したせり番号の有無を判断する。次の処理は、せり番号が無ければステップＳ１４４ｃへ進められ、せり番号が有れば処理が終了して、ステップＳ１４５に進められる。
【００９４】
［ステップＳ１４４ｃ］  応札制御部５２ｅは、レーンが違うことを示す警告の出力要求を表示処理部５２ｆに送信する。なお、表示処理部５２ｆは、出力要求を受信すると、入力表示部５２０に、例えば、「レーンが違います」等の表示、又は表示及び音声の出力を行わせる。
【００９５】
次いで、ステップＳ１４５の車種違い警告出力の処理について説明する。
せり取引において、特定の車種のみを中古販売する場合に、応札者は、中古車のメーカーや状態を問わず、例えば、軽自動車のみを落札することを望む。すなわち、応札者は表示されているレーンのせり対象となっている中古車が、希望する中古車でなくても、車種が希望するものであれば、そのせり取引に応札する。車種違い警告では、このような場合に、車種が違えば、車種違いの警告を出力する。したがって、応札者は、車種違い警告の出力を望まなければ初期設定等によりこの処理を中止することができる。
【００９６】
図７は、車種違い警告出力の処理手順を示すフローチャートである。
［ステップＳ１４５ａ］  応札制御部５２ｅは、表示されているせり取引対象の中古車の車種情報をせり情報受付部５２ｃから取得する。なお、この場合には、ステップＳ１３で、レーン番号等とともに車種情報を受け付けるようにしておく。また、指定せり予定表では、各せり番号に車種情報を含むようにしておく。
【００９７】
［ステップＳ１４５ｂ］  応札制御部５２ｅは、指定せり予定表の、全てのレーン番号のレーン内に、ステップＳ１４５ａで取得した車種情報の有無を判断する。次の処理は、車種情報が無ければステップＳ１４５ｃへ進められ、車種情報が無ければ処理が終了して、ステップＳ１４６に進められる。
【００９８】
［ステップＳ１４５ｃ］  応札制御部５２ｅは、車種が違うことを示す警告の出力要求を表示処理部５２ｆに送信する。なお、表示処理部５２ｆは、出力要求を受信すると、入力表示部５２０に、例えば、「車種が違います」等の表示又は、表示及び音声の出力を行わせる。
【００９９】
上記のフローによって応札したせり取引の車種の違いを応札者に知らせることが可能となる。
次いで、ステップＳ１４６のタイミング警告出力の処理について説明する。
【０１００】
図８は、タイミング警告出力の処理手順を示すフローチャートである。
［ステップＳ１４６ａ］  応札制御部５２ｅは、入力検知部５２ｄが受け付けた応札要求を取得した時に、表示されているせり取引が実施中か否かを判別する。次の処理は、せり取引が実施中で無ければ、ステップＳ１４６ｂに進められ、実施中であれば処理が終了して、ステップＳ１４７に進められる。
【０１０１】
［ステップＳ１４６ｂ］  応札制御部５２ｅは、応札要求を取得した時に、せり取引が開始前か否かを判別する。次の処理は、せり取引が開始前であれば、ステップＳ１４６ｅに進められ、せり取引が開始前でなればステップＳ１４６ｃに進められる。
【０１０２】
［ステップＳ１４６ｃ］  応札制御部５２ｅは、応札要求を取得した時に、次の処理は、表示されているせり取引が落札又は流れとなって完了していればステップＳ１４６ｅに進められ、完了していなければステップＳ１４６ｄへ進められる。
【０１０３】
［ステップＳ１４６ｄ］  応札制御部５２ｅは、応札要求を取得した時に、次の処理は、全てのせり取引が完了している場合にはステップＳ１４６ｅに進められ、完了していない場合には処理が終了して、ステップＳ１４７に進められる。
【０１０４】
［ステップＳ１４６ｅ］  応札制御部５２ｅは、応札時期が不適切である旨の警告の出力要求を表示処理部５２ｆに送信する。なお、警告の出力内容としては、ステップＳ１４６ｂの後であれば「せり取引開始前です」、ステップＳ１４６ｃの後であれば「せり取引終了です」、ステップＳ１４６ｄの後であれば「せり取引がありません」等と、応札時期応じて出力内容を設定することも可能である。
【０１０５】
上記のフローによって、例えば、大型表示装置５３のあるレーンを見て応札し、実際にはせり応札端末５２で違うレーンを選択していること等により、誤ったレーンに応札している事と応札時期とを応札者に知らせることが可能となる。
【０１０６】
次いで、ステップＳ１４７の台数超過の警告出力の処理について説明する。
図９は、台数超過警告出力の処理手順を示すフローチャートである。
［ステップＳ１４７ａ］  応札制御部５２ｅは予め最大落札台数（Ｍ）の設定があるか否かを判断する。次の処理は、設定が有ればステップＳ１４７ｂに進められる。設定が無ければ、処理が終了して、ステップＳ１４８に進められる。
【０１０７】
なお、最大落札台数とは、応札者が落札する中古車の上限台数であり、ステップＳ１１で応札者の希望によって設定することができる。また、設定された最大落札台数は、例えば、応札制御部５２ｅにより指定せり予定情報保持部５２ｂに保持される。なお、最大落札台数をＭと表す。
【０１０８】
［ステップＳ１４７ｂ］  応札制御部５２ｅは、予め設定した最大落札台数（Ｍ）情報を取得する。
［ステップＳ１４７ｃ］  応札制御部５２ｅは、現在の落札台数（ＣＭ）情報を取得する。なお、応札制御部５２ｅは応札したせり取引において落札するごとに落札台数を計数する。
【０１０９】
［ステップＳ１４７ｄ］  応札制御部５２ｅは、最大落札台数（Ｍ）と現在の落札台数（ＣＭ）とを比較して、現在の落札台数が最大落札台数よりも少ないか否かを判別する。少なくない、すなわち、現在の落札台数が最大落札台数以上である（Ｍ≦ＣＭ）場合には、次の処理はステップＳ１４７ｅに進められる。少ない場合（Ｍ＞ＣＭ）には、処理が終了して、ステップＳ１４８に進められる。
【０１１０】
［ステップＳ１４７ｅ］  応札制御部５２ｅは、現在の落札台数が最大落札台数に達していることの警告の出力要求を表示処理部５２ｆに送信する。なお、表示処理部５２ｆは、出力要求を受信すると、入力表示部５２０に、例えば、「最大落札台数に達しています」等の表示又は、表示及び音声の出力を行わせる。
【０１１１】
上記のフローによって応札したせり取引が落札されると最大落札台数を超過することを応札者に知らせることが可能となる。
続いて、応札制御部５２ｅで行われるステップＳ１４８のレーン切替処理について説明する。なお、以下では、せり取引が４つのレーン（Ａ，Ｂ，Ｃ，Ｄレーン）でそれぞれ行われる場合を挙げて説明する。
【０１１２】
図１０は、レーン切替の処理手順を示すフローチャートである。
［ステップＳ１４８ａ］  応札制御部５２ｅは、応札者による入力表示部５２０を介したレーンの切替スイッチの操作入力を入力検知部５２ｄによりパラメータＮを取得する。
【０１１３】
［ステップＳ１４８ｂ］  応札制御部５２ｅは、入力検知部５２ｄから取得したパラメータＮがＡレーンであれば、次の処理はステップＳ１４８ｃに進められ、Ａレーン以外であればステップＳ１４８ｄに進められる。
【０１１４】
［ステップＳ１４８ｃ］  応札制御部５２ｅは、Ａレーンの表示要求をせり制御装置１００に送信する。
なお、せり制御装置１００は、表示要求を受信すると、表示要求があったレーン、当該レーンで行われているせり取引及び受付価格の表示要求を表示処理部５２ｆに送信するとともに、せり情報受付部５２ｃに当該レーンのレーン番号、当該レーンで行われているせり取引のせり番号及び当該せり取引の受付価格を送信する。表示処理部５２ｆは受信したレーン、せり取引及び受付番号を入力表示部５２０に表示させる。
【０１１５】
［ステップＳ１４８ｄ］  応札制御部５２ｅは、入力検知部５２ｄから取得したパラメータＮがＢレーンであれば、次の処理はステップＳ１４８ｅに進められ、Ｂレーン以外であればステップＳ１４８ｆに進められる。
【０１１６】
［ステップＳ１４８ｅ］  応札制御部５２ｅは、Ｂレーンの表示要求をせり制御装置１００に送信する。
なお、せり制御装置１００は、上記の通り、せり情報受付部５２ｃ及び表示処理部５２ｆに、表示要求があったレーン等に関する情報を送信する。また、表示処理部５２ｆは表示要求に基づいて、レーン等を入力表示部５２０に表示させる。
【０１１７】
［ステップＳ１４８ｆ］  応札制御部５２ｅは、入力検知部５２ｄから取得したパラメータＮがＣレーンであれば、次の処理はステップＳ１４８ｇに進められ、Ｃレーン以外であればステップＳ１４８ｈに進められる。
【０１１８】
［ステップＳ１４８ｇ］  応札制御部５２ｅは、Ｃレーンの表示要求をせり制御装置１００に送信する。
なお、せり制御装置１００は、上記の通り、せり情報受付部５２ｃ及び表示処理部５２ｆに、表示要求があったレーン等に関する情報を送信する。また、表示処理部５２ｆは表示要求に基づいて、レーン等を入力表示部５２０に表示させる。
【０１１９】
［ステップＳ１４８ｈ］  応札制御部５２ｅは、入力検知部５２ｄから取得したパラメータＮがＤレーンであれば、次の処理はステップＳ１４８ｉに進められ、Ｄレーン以外であれば処理が終了して、ステップＳ１４９に進められる。
【０１２０】
［ステップＳ１４８ｉ］  応札制御部５２ｅは、Ｄレーンの表示要求をせり制御装置１００に送信する。
なお、せり制御装置１００は、上記の通り、せり情報受付部５２ｃ及び表示処理部５２ｆに、表示要求があったレーン等に関する情報を送信する。また、表示処理部５２ｆは表示要求に基づいて、レーン等を入力表示部５２０に表示させることができる。
【０１２１】
このようにして、応札者が希望するせり取引が所属するレーンが入力表示部５２０に表示される。以後、応札者は所望のせり取引に応札することができる。
次いで、応札制御部５２ｅで行われるステップＳ１４９のせり取引実行の処理動作について説明する。
【０１２２】
図１１は、せり取引実行の処理手順を示すフローチャートである。
［ステップＳ１４９ａ］  応札制御部５２ｅは、せり情報受付部５２ｃが受け付けた、せり制御装置１００から送信された、応札者が応札したせり取引に対する応札要求の上位価格（上位応札価格）と、各上位応札価格を応札した各応札者の購買店ＩＤとを取得する。なお、これらの情報は更新される度にせり制御装置１００から送信される。また、上位応札価格は、せり画面に表示させたい上位の応札価格に応じて、例えば、上位３位までの応札要求を取得する。
【０１２３】
［ステップＳ１４９ｂ］  応札制御部５２ｅは、応札が受け付けられるせり画面の表示要求を表示処理部５２ｆに送信する。
なお、表示処理部５２ｆは、入力表示部５２０にせり画面を表示する。
【０１２４】
［ステップＳ１４９ｃ］  応札制御部５２ｅは、ステップＳ１４で取得した自らの応札価格をグラフ化し、そのグラフの表示要求を表示処理部５２ｆに送信する。
なお、表示処理部５２ｆは受信した応札者の応札価格のグラフを、例えば、棒グラフとしてせり画面に表示する。
【０１２５】
［ステップＳ１４９ｄ］  応札制御部５２ｅは、応札者の購買店ＩＤが、１位の応札価格の購買店ＩＤと一致するか否かを判別する。なお、図１１では応札者の購買店ＩＤを「自店ＩＤ」としている。次の処理は、自店ＩＤが１位であればステップＳ１４９ｅへ進められ、１位でなければステップＳ１４９ｉに進められる。
【０１２６】
［ステップＳ１４９ｅ］  応札制御部５２ｅは、ステップＳ１４９ａで取得した上位応札価格のうち２位及び３位の応札価格をグラフ化し、そのグラフの表示要求を表示処理部５２ｆに送信する。
【０１２７】
なお、表示処理部５２ｆは受信した２位及び３位の応札価格のグラフを、例えば、棒グラフとして、ステップＳ１４９ｃで表示した応札者の棒グラフに並べて、せり画面に表示する。
【０１２８】
［ステップＳ１４９ｆ］  応札制御部５２ｅは、ステップＳ１４９ｅで応札要求を取得してから所定の時間を測定する。
［ステップＳ１４９ｇ］  応札制御部５２ｅは、再び、自店ＩＤが、１位の応札価格の購買店ＩＤと一致しているか否かを判別する。次の処理は、自店ＩＤが１位であればステップＳ１４９ｈへ進められ、１位で無ければステップＳ１４９ｌへ進められる。
【０１２９】
［ステップＳ１４９ｈ］  応札制御部５２ｅは、せり制御装置１００により応札者の応札で落札が決定されると、表示処理部５２ｆに落札の表示要求を送信する。
なお、表示処理部５２ｆは入力表示部５２０に「落札」を表示させる。
【０１３０】
［ステップＳ１４９ｉ］  応札制御部５２ｅは、自店ＩＤが、上位応札価格のうちの２位の応札価格の購買店ＩＤと一致するか否かを判別する。次の処理は、自店ＩＤが２位であればステップＳ１４９ｊへ進められ、２位でなければステップＳ１４９ｋに進められる。
【０１３１】
［ステップＳ１４９ｊ］  応札制御部５２ｅは、ステップＳ１４９ａで取得した上位応札価格のうち１位及び３位の応札価格をグラフ化し、そのグラフの表示要求を表示処理部５２ｆに送信する。
【０１３２】
なお、表示処理部５２ｆは受信した１位及び３位の応札価格のグラフを、例えば、棒グラフとして、ステップＳ１４９ｃで表示した応札者の棒グラフに並べて、せり画面に表示する。
【０１３３】
［ステップＳ１４９ｋ］  応札制御部５２ｅは、ステップＳ１４９ａで取得した上位応札価格のうち１位及び２位をグラフ化し、そのグラフ情報の表示要求を表示処理部５２ｆに送信する。
【０１３４】
なお、表示処理部５２ｆは受信した１位及び２位の応札価格のグラフを、例えば、棒グラフとして、ステップＳ１４９ｃで表示した応札者の棒グラフに並べて、せり画面に表示する。
【０１３５】
［ステップＳ１４９ｌ］  応札制御部５２ｅは、入力検知部５２ｄに応札者の応札が受け付けられるか否かを判別する。次の処理は、受け付けられなければステップＳ１４９ｍへ進められ、受け付けられるとステップＳ１４９ｎに進められる。
【０１３６】
［ステップＳ１４９ｍ］  応札制御部５２ｅは、せり制御装置１００によりせり取引が完了又は流れが決定されると、表示処理部５２ｆにせり取引の完了又は流れの表示要求を送信する。
【０１３７】
なお、表示処理部５２ｆは入力表示部５２０に「完了又は流れ」を表示させる。
［ステップＳ１４９ｎ］  応札制御部５２ｅは、新たに応札された応札価格を更新して、次の処理はステップＳ１４９ｃに進められる。
【０１３８】
ステップＳ１４４〜Ｓ１４７により実施されるような警告により所望のせり取引が行われるレーンと表示されているレーンが違うことを応札者に喚起でき、応札者はレーンを切り替えて希望するせり取引に正確に応札することができるようになる。
【０１３９】
また、せり取引の実行に際し、応札者は、ステップＳ１４９で表示される価格グラフにより自身の応札価格の全体に対する位置づけが大まかに把握できるために、せり取引をより活発にすることができる。
【０１４０】
次いで、応札制御部５２ｅで行われるステップＳ１５のレーン自動切替の処理動作について説明する。
図１２は、レーン自動切替の処理手順を示すフローチャートである。
【０１４１】
［ステップＳ１５１］  応札制御部５２ｅは、せり制御装置１００のせり情報転送部１０１からせり情報受付部５２ｃが受け付けたこれまでにせり取引が終了したせり番号（終了せり番号）を取得する。
【０１４２】
［ステップＳ１５２］  応札制御部５２ｅは、指定せり予定表と終了せり番号とからこれからせり取引が行われる指定せり番号を特定する。
［ステップＳ１５３］  応札制御部５２ｅは、ステップＳ１５２で特定した指定せり番号のせり取引の完了の有無を判別する。次の処理は、当該指定せり番号のせり取引が完了していなければステップＳ１５４に進められ、完了していれば処理が終了して、ステップＳ１６に進められる。
【０１４３】
［ステップＳ１５４］  応札制御部５２ｅは、レーン番号ｉ（＝Ａ，Ｂ，Ｃ，Ｄ）のレーンごとに以下の処理が行われる。
［ステップＳ１５５］  応札制御部５２ｅは、レーン番号ｉのレーン内で、ステップＳ１５２で特定した指定せり番号を検索する。
【０１４４】
［ステップＳ１５６］  応札制御部５２ｅは、せり予定表を参照して、指定せり番号の一つ前のせり番号（指定せり番号−１番目）のせり取引が完了したか否かを判別する。次の処理は、終了していればステップＳ１５７に進められ、完了していなければステップＳ１５８に進められる。なお、完了対象となるせり取引のせり番号は、指定せり番号の一つ前のせり番号とは限らず、ユーザによって例えば二つ前、三つ前等と設定することができる。
【０１４５】
［ステップＳ１５７］  応札制御部５２ｅは、取得したｉをパラメータＮに設定する。
［ステップＳ１５８］  応札制御部５２ｅは、ＳＷ＿ＯＮのフラグ値１を立てる。
［ステップＳ１５９］  応札制御部５２ｅは、パラメータＮＳＥＴにステップＳ１５７のパラメータＮを設定する。具体的には、表示画面をパラメータＮＳＥＴに設定されたレーン番号に対するＮレーンに切り替える。
【０１４６】
［ステップＳ１５ａ］  応札制御部５２ｅは、指定せり予定表を参照して、次回行われる指定せり取引の指定せり番号を表すＳＥＲＩ＿ＮＯに、次回行われる指定せり番号を設定する。
【０１４７】
次に、せり応札端末５２において表示画面の具体例をあげて図面を参照しながら説明する。
＜処理例１＞
まず、せり応札端末５２の入力表示部５２０について説明する。
【０１４８】
図１３は、せり応札端末の入力表示部における応札画面の表示例を示す図である。
なお、前述のように、入力表示部５２０は、タッチパネル方式が採用されたディスプレイであって、表示だけでなく、応札者による画面へのタッチ操作も検出できる。
【０１４９】
この画面５２１には、中古車表示部５２２、せり予定表示部５２３、実施レーン表示部５２４、レーン切替スイッチ５２５及びメニュー表示ボタン５２６を備えており、せり制御装置１００から受信した各種情報等が表示されている。
【０１５０】
中古車表示部５２２には、対象中古車の写真５２２ａ、対象中古車の車種、年式、状態等を示す車両情報５２２ｂ、表示されているレーンのレーン番号５２２ｃ、表示されているせり取引のせり番号５２２ｄ及び受付価格５２２ｅが表示されている。例えば、図１３では、Ａレーンのせり番号１０１３の中古車が表示されており、現在の受付価格は８９７，０００円である。
【０１５１】
せり予定表示部５２３には、レーンごとに行われるせり取引が、開始時刻と合わせて実施順に配列されたせり予定表が表示されている。図１３では、４つのレーン（Ａ，Ｂ，Ｃ，Ｄレーン）の場合を示している。なお、図１３中の着色されたせり番号はせり取引の完了状態を表している。
【０１５２】
実施レーン表示部５２４は、現在表示されているせり取引が所属するレーンが、例えば点灯することにより表示されている。図１３では、Ａレーンのせり取引が行われているために、実施レーン表示部５２４ではＡレーンが点灯している。
【０１５３】
レーン切替スイッチ５２５は、レーンに対応したスイッチがあり、指定したレーンで現在行われているせり取引の中古車情報が中古車表示部５２２に表示される。例えば、図１３において、レーン切替スイッチ５２５の「Ａ」を押下すると、Ａレーンのせり取引が中古車表示部５２２に表示されるとともに、実施レーン表示部５２４ではＡレーンが点灯する。
【０１５４】
メニュー表示ボタン５２６は、このボタンを押下することで、応札者がせり取引を開始する際の指定せり予定表の作成画面に切り替えることができる。
次に、メニュー表示ボタン５２６の押下によって表示される指定せり予定表の作成画面について説明する。
【０１５５】
図１４は、せり応札端末の入力表示部における指定せり作成画面の表示例を示す図である。
せり応札端末５２が有する入力表示部５２０における表示例が図１４に示されている。この画面６２１には、中古車表示部６２２、せり予定表示部６２３、解除ボタン６２４、追加ボタン６２５、指定せり予定表表示ボタン６２６、戻るボタン６２７及びトップページ表示ボタン６２８を備えており、せり制御装置１００から受信した各種情報等が表示されている。
【０１５６】
中古車表示部６２２には、上記中古車表示部５２２と同様に、対象中古車の写真、対象中古車の車種、年式、状態等を示す車両情報、表示されているレーンのレーン番号及び表示されているせり取引のせり番号が表示されている。
【０１５７】
せり予定表示部６２３は、せり予定表が表示されている。例えば、図１４において、せり予定表示部６２３に表示されるせり予定表のせり番号１０４２をタッチして指定する。せり番号１０４２に対応する中古車が中古車表示部６２２に車両情報等とともに表示される。さらに、せり予定表示部６２３の側部には、せり予定表を上下にそれぞれスクロールさせるスクロールボタン６２３ａ，６２３ｃ、さらにスクロールバー６２３ｂが配置されている。
【０１５８】
解除ボタン６２４は、せり予定表示部６２３でせり取引の指定後、この解除ボタン６２４を押下することにより、せり取引の指定を解除することができる。例えば、せり番号１０４２が指定された上記の例において、せり番号１０４２の指定を解除する場合には、解除ボタン６２４を押下する。
【０１５９】
追加ボタン６２５は、せり予定表示部６２３でせり取引の指定後、この追加ボタン６２５を押下することにより、指定したせり取引を指定せり予定表に追加することができる。例えば、図１４では、せり番号１０４２が指定されて、指定せり予定表に追加する場合には、追加ボタン６２５を押下する。
【０１６０】
指定せり予定表表示ボタン６２６は、このボタンを押下することで、指定せり予定表の作成画面で作成した指定せり予定表を表示することができる。指定せり予定表の表示例については後述する。
【０１６１】
戻るボタン６２７及びトップページ表示ボタン６２８は、各ボタンを押下することで、この作成画面が表示されていた前の画面及び図１４のトップページがそれぞれ表示される。
【０１６２】
次に、指定せり予定表表示ボタン６２６の押下によって表示される指定せり予定表について説明する。
図１５は、せり応札端末の入力表示部における指定せり予定表の表示例を示す図である。
【０１６３】
せり応札端末５２が有する入力表示部５２０における表示例が図１５に示されている。この画面７２１には、中古車表示部７２２、指定せり予定表表示部７２３、指定車種表表示部７２４、最大落札台数表示部７２５、戻るボタン７２７及びトップページ表示ボタン７２８を備えている。
【０１６４】
中古車表示部７２２は、上記中古車表示部６２２と同様に、対象中古車の写真、対象中古車の車種、年式、状態等を示す車両情報、表示されているレーンのレーン番号及び表示されているせり取引のせり番号が表示されている。
【０１６５】
指定せり予定表表示部７２３は、図１４で作成された指定せり予定表が表示されている。図１５に示すように、レーンごとに指定されたせり取引のせり番号が配列されている。なお、指定せり予定表のせり番号をタッチすると、タッチされたせり番号に対応する中古車が中古車表示部７２２に表示される。
【０１６６】
指定車種表表示部７２４は、指定したせり取引の中古車の車種が実施順に配列された表が表示されている。なお、車種とは、バン、スポーツ、ファミリー、セダン等である。
最大落札台数表示部７２５は、応札者が落札できる中古車台数の上限値である。応札者の希望に応じて、テンキーによって０台から自由に設定することができる。
【０１６７】
戻るボタン７２７及びトップページ表示ボタン７２８は、各ボタンを押下することで、この作成画面が表示されていた前の画面及び図１３のトップページがそれぞれ表示される。
【０１６８】
このような入力表示部５２０を有するせり応札端末５２を用いた応札について上記図４、図５及び図１３〜図１５に加えて次の図１６，１７を用いて説明する。
図１６は警告出力時のせり応札端末の入力表示部における応札画面の表示例を示す図、図１７はせり応札端末の入力表示部における応札画面の表示例を示す図である。
【０１６９】
まず、応札者はせり応札端末５２に電源を投入すると、入力表示部５２０に図１３に示される画面５２１が表示される。
続いて、応札者は、指定せり予定表を作成するために、メニュー表示ボタン５２６を押下する。応札者は、図１４に表示される画面６２１のせり予定表示部６２３から、検討中の中古車に対応する、レーンＢのせり番号１０４２を押下する。中古車表示部６２２にせり番号１０４２に対応する中古車が表示される。応札者はせり番号１０４２の中古車への応札を行う場合には追加ボタン６２５を押下し、又は、別の中古車を選択する場合には、解除ボタン６２４を押下する。このようにして応札者は希望するせり取引を指定して指定せり予定表を作成する。
【０１７０】
続いて、応札者は作成した指定せり予定表を確認するために指定せり予定表表示ボタン６２６を押下する。図１５に表示される画面７２１の指定せり予定表表示部７２３から指定したせり取引を確認することができる。指定せり予定表表示部７２３の任意のせり番号を押下すると、押下したせり番号の中古車が中古車表示部７２２に表示される。さらに、応札者は最大落札台数を予め設定する場合には、最大落札台数表示部７２５のテンキーによる操作入力を行う。また、図１４の画面６２１に戻って指定せり予定表の編集を行う場合には、戻るボタン７２７を押下する。指定せり予定表が確認でき、応札を行う場合にはトップページ表示ボタン７２８を押下する。
【０１７１】
以上の入力表示部５２０に対する操作入力により初期設定が完了する（ステップＳ１１に対応）。
続いて、せり応札端末５２の入力表示部５２０に画面５２１（図１３）が表示される。さらに、中古車表示部５２２には、Ａレーン（レーン番号５２２ｃ）のせり番号１０１３（せり番号５２２ｄ）に対応する対象中古車の写真５２２ａ、対象中古車の車種、年式、状態等を示す車両情報５２２ｂ、受付価格５２２ｅ等が表示される（ステップＳ１２，Ｓ１３に対応）。
【０１７２】
この状態で、応札者が、Ａレーンに表示されている希望しないせり番号１０３７に応札する（以下、ステップＳ１４に対応）。
せり応札端末５２において、応札したレーンが違うことを判断して、入力表示部５２０にレーン違い警告５２７を表示する（ステップＳ１４４に対応）。なお、この時、レーン違い警告５２７の表示とともに、アラーム音を出力させても構わない。希望しないせり番号１０３７の車種が、希望する車種であれば、そのまませり取引が行われ、車種が異なれば車種が違う旨の警告が出力される（ステップＳ１４５に対応）。また、応札時期がせり取引の実施中以外の場合にタイミング警告が出力される（ステップＳ１４６に対応）。また、最大落札台数が予め設定されてあって、落札台数が最大落札台数と同数であれば、最大落札台数超過警告が出力される（ステップＳ１４７に対応）。
【０１７３】
応札者はレーンの違いが喚起されると、レーン切替スイッチ５２５のＢレーンを押下して、ＡレーンからＢレーンの表示に切り替える（ステップＳ１４８に対応）。
せり応札端末５２の入力表示部５２０では、表示がＢレーンに切り替わると応札者が指定したせり番号１０４２のせり取引が表示される。すると、図１７に示すように、せり取引を実行するためのせり表示部５２８が画面５２１に表示される。
【０１７４】
せり表示部５２８は、応札者の応札価格と、せり番号１０４２に対する上位の応札価格とが棒グラフで表示されるグラフ表示部５２８ａと、応札者が応札を行う応札ボタン５２８ｂとを有する。なお、せり予定表示部５２３ａでは、現在行われているせり取引の前後の予定が表示されている。
【０１７５】
グラフ表示部５２８ａでは、応札者の応札価格を含む３つの棒グラフが表示される。なお、応札者の応札価格は常に右側に表示されるようにしている。したがって、応札者の応札価格が１位であれば、２位及び３位の応札価格の棒グラフが左側及び真ん中にそれぞれ表示される。応札者の応札価格が２位であれば、１位及び３位の応札価格の棒グラフが左側及び真ん中にそれぞれ表示される。また、応札者の応札価格が３位以下であれば、１位及び２位の応札価格の棒グラフが左側及び真ん中にそれぞれ表示される。
【０１７６】
応札者はグラフ表示部５２８ａを視認して、自らの応札価格の全体の中の位置づけを把握して、さらに応札するか、または、応札しないか判断しやすくなる。そして、応札する場合には、応札ボタン５２８ｂを押下する。最終的に、応札者又は他の応札者によって落札、または、流れとなると、せり取引が終了する（ステップＳ１４９に対応）。
【０１７７】
そして、中古車表示部５２２には、次の指定せり取引であるせり番号１０６１が行われるＡレーンに表示が切り替わる（ステップＳ１５に対応）。
再び、せり応札端末５２の入力表示部５２０に画面５２１（図１３）が表示され、中古車表示部５２２には、Ａレーン（レーン番号５２２ｃ）のせり番号１０４５（せり番号５２２ｄ）に対応する対象中古車の写真５２２ａ、対象中古車の車種、年式、状態等を示す車両情報５２２ｂ、受付価格５２２ｅ等が表示される（ステップＳ１２に対応）。
【０１７８】
以後、上記と同様の処理が行われ、指定したせり取引が全て表示されて、せり取引が行われる。
次に、第２の実施の形態について説明する。
【０１７９】
第２の実施の形態では、初期情報の取得後に、表示されているレーンに希望するせり取引が無い場合に、レーンを自動的に切り替え、さらに、希望するせり取引の実施時期が重なった場合を例に挙げて説明する。なお、第２の実施の形態においても図２及び図３で説明したせりシステムにより実現される。
【０１８０】
図１８は第２の実施の形態に係るせり応札端末の処理手順を示すフローチャートである。
なお、図１８のフローチャートは、図４及び図５のフローチャートで用いたステップ番号により構成されている。このため、既出のステップ番号について説明を省略する。
【０１８１】
［ステップＳ１５ｂ］  ステップＳ１１〜Ｓ１３に続いて、応札者が希望しないせり取引が表示されている状態で応札者が誤って応札する。
応札後、応札制御部５２ｅは、所定時間の経過を測定して、応札者が希望するせり取引が行われるレーンに表示を変える。
【０１８２】
その後、ステップＳ１４９で説明したように、せり画面が表示されて、応札を行うことが可能となる。
続いて、応札制御部５２ｅで行われるステップＳ１４の応札処理について説明する。
【０１８３】
図１９はレーン自動切替の処理手順を示すフローチャートである。
なお、図１９のフローチャートにおいても、図１２のフローチャートで用いたステップ番号により構成されている。このため、既出のステップ番号について説明を省略する。
【０１８４】
［ステップＳ１５ｃ］  応札制御部５２ｅは、応札者によって応札されると、時間を計測する。次の処理は、所定時間が経過すると、ステップＳ１５１に進められ、所定時間が経過しなければ処理が終了して、ステップＳ１４９に進められる。
【０１８５】
［ステップＳ１５ｄ］  ステップＳ１５２を経て、応札制御部５２ｅは、特定された指定せり番号が複数あるかを判別する。次の処理は、特定された指定せり番号が１つの場合には、ステップＳ１５３に進められ、１つで無い場合、すなわち複数の場合には、ステップＳ１５ｅに進められる。
【０１８６】
［ステップＳ１５ｅ］  応札制御部５２ｅは特定したせり番号の数だけの画面の表示要求を表示処理部５２ｆに送信する。
以後の処理は、特定した指定せり番号が１つの場合には、第１の実施の形態と同様に、ステップＳ１５４以後の処理が行われる。特定した指定せり番号が複数の場合には、複数の画面ごとにステップＳ１５４以後の処理が行われる。
【０１８７】
次に、せり応札端末５２において表示画面の具体例をあげて図面を参照しながら説明する。
＜処理例２＞
＜処理例２＞では第２の実施の形態と同様にレーンが自動的に切り替わり、さらに、応札者の所望のせり取引が同時期に複数行われる場合について説明する。
【０１８８】
図２０は、せり応札端末の入力表示部における応札画面の表示例を示す図である。
まず、＜処理例１＞と同様に、応札者はせり応札端末５２に電源を投入して、初期設定（ステップＳ１１に対応）を行うと、せり応札端末５２の入力表示部５２０に画面５２１が表示される（図１３）。さらに、中古車表示部５２２には、Ａレーン（レーン番号５２２ｃ）のせり番号１０１３（せり番号５２２ｄ）に対応する対象中古車の写真５２２ａ、対象中古車の車種、年式、状態等を示す車両情報５２２ｂ、受付価格５２２ｅ等が表示される（ステップＳ１２，Ｓ１３に対応）。
【０１８９】
この状態で、応札者が、Ａレーンに表示されている希望しないせり番号１０３７に応札する。或いは、応札はしていないが、指定せり予定表のせり時刻になっても別のレーンであるＡレーンを選択した状態が継続している。
【０１９０】
せり応札端末５２において、前述した「レーンが違います」等のアラームにより応札したレーンが違うことを判断して、応札者が希望するせり取引が行われるＤ，Ｂレーンを入力表示部５２０に表示する。或いは、せり応札端末５２において、表示されているレーンが違うことを応札制御部５２ｅが検知して自動的に、応札者が希望するせり取引が行われるＤ，Ｂレーンを入力表示部５２０に表示する。（ステップＳ１５ｂに対応）。
【０１９１】
せり応札端末５２の入力表示部５２０では、表示がＢ，Ｄレーンに切り替わり、応札者が指定したせり番号１０８６，１０８８のせり取引が開始される。すると、図２０に示すように、せり取引を実行するためのせり表示部５３８，５４８が画面５２１に表示される。Ａレーンの表示から図２０に画面を切り替えることにより指定せり予定表のせり取引が開始されたことを、応札者に知らせる。或いは、図２０に切り替えると同時にアラームや音声で応札者に知らせることもできる。
【０１９２】
せり表示部５３８，５４８は、応札者の応札価格と、せり番号１０８６，１０８８に対する上位の応札価格とが棒グラフで表示されるグラフ表示部５３８ａ，５４８ａと、応札者が応札を行う応札ボタン５３８ｂ，５４８ｂとを有する。なお、せり予定表示部５２３ａでは、現在行われているせり取引の前後の予定が表示されている。
【０１９３】
グラフ表示部５３８ａ，５４８ａでは、応札者の応札価格を含む３つの棒グラフが表示される。なお、応札者の応札価格は常に右側に表示されるようにしている。したがって、応札者の応札価格が１位であれば、２位及び３位の応札価格の棒グラフが左側及び真ん中にそれぞれ表示される。また、応札者の応札価格が２位であれば、１位及び３位の応札価格の棒グラフが左側及び真ん中にそれぞれ表示される。
【０１９４】
応札者はグラフ表示部５３８ａ，５４８ａを視認して、自らの応札価格の全体の中の位置づけを把握して、さらに応札するか、または、応札しないのかを判断しやすくなる。そして、応札する場合には、応札ボタン５３８ｂ，５４８ｂを押下する。最終的に、応札者又は他の応札者によって落札、または、流れとなると、せり取引が終了する（ステップＳ１４９に対応）。
【図面の簡単な説明】
【０１９５】
【図１】本実施の形態の概要を説明するための概念図である。
【図２】実施の形態に係るせりシステムの構成を説明するためのブロック図である。
【図３】本実施の形態に係るせりシステムの機能を示すブロック図である。
【図４】第１の実施の形態に係るせり応札端末の処理手順を示すフローチャートである。
【図５】応札の処理手順を示すフローチャートである。
【図６】レーン違い警告出力の処理手順を示すフローチャートである。
【図７】車種違い警告出力の処理手順を示すフローチャートである。
【図８】タイミング警告出力の処理手順を示すフローチャートである。
【図９】台数超過警告出力の処理手順を示すフローチャートである。
【図１０】レーン切替の処理手順を示すフローチャートである。
【図１１】せり取引実行の処理手順を示すフローチャートである。
【図１２】レーン自動切替の処理手順を示すフローチャート（その１）である。
【図１３】せり応札端末の入力表示部における応札画面の表示例を示す図である。
【図１４】せり応札端末の入力表示部における指定せり作成画面の表示例を示す図である。
【図１５】せり応札端末の入力表示部における指定せり予定表の表示例を示す図である。
【図１６】警告出力時のせり応札端末の入力表示部における応札画面の表示例を示す図である。
【図１７】せり応札端末の入力表示部における応札画面の表示例を示す図（その１）である。
【図１８】第２の実施の形態に係るせり応札端末の処理手順を示すフローチャートである。
【図１９】レーン自動切替の処理手順を示すフローチャート（その２）である。
【図２０】せり応札端末の入力表示部における応札画面の表示例を示す図（その２）である。
【符号の説明】
【０１９６】
１  せり応札端末
２  せり予定情報保持部
３  指定せり予定情報保持部
４  せり情報受付部
５  入力受付部
６  応札制御部
７  表示処理部
８  警告報知部
【図１】
2010128998.tif 000003
【図２】
2010128998.tif 000004
【図３】
2010128998.tif 000005
【図４】
2010128998.tif 000006
【図５】
2010128998.tif 000007
【図６】
2010128998.tif 000008
【図７】
2010128998.tif 000009
【図８】
2010128998.tif 000010
【図９】
2010128998.tif 000011
【図１０】
2010128998.tif 000012
【図１１】
2010128998.tif 000013
【図１２】
2010128998.tif 000014
【図１３】
2010128998.tif 000015
【図１４】
2010128998.tif 000016
【図１５】
2010128998.tif 000017
【図１６】
2010128998.tif 000018
【図１７】
2010128998.tif 000019
【図１８】
2010128998.tif 000020
【図１９】
2010128998.tif 000021
【図２０】
2010128998.tif 000022